(57)【要約】【課題】信頼性の低下を防止することができる。【解決手段】半導体装置１０では、接着剤１８を介してプリント基板１３をケース１１の底部１１ｃ側に押圧すると、プリント基板１３の裏面は底部１１ｃに形成された突起部１１ｅ２，１１ｅ４から支持される。このため、プリント基板１３と底部１１ｃとの間隙が突起部１１ｅ２，１１ｅ４の高さ程度に保たれて、プリント基板１３により押圧される接着剤１８が広がり過ぎなくなる。この結果、プリント基板１３の長手方向の両端部では、接着剤１８の端部がプリント基板１３の当該両端部と同じ位置にあるか、または、当該両端部よりも外側に多少はみ出す。プリント基板１３の短手方向では、プリント基板１３の短手方向の両端部からはみ出した接着剤１８は、プリント基板１３のおもて面、内部接続端子１２ｄ２上、並びにセラミック回路基板１５のおもて面に回り込まない。【選択図】図２
2018182174.tif 000002
【特許請求の範囲】
【請求項１】
平面視で矩形状のプリント基板と、
前記プリント基板が接着剤からなる接合部材を介して設置される設置領域上に、前記プリント基板を裏面側から支持して前記設置領域と前記裏面との間に間隙を維持する少なくとも１つの突起部が形成されたケースと、
を有する半導体装置。
【請求項２】
前記突起部は、前記設置領域の前記プリント基板の角部にそれぞれ対向している、
請求項１に記載の半導体装置。
【請求項３】
前記突起部は、さらに、前記設置領域の前記プリント基板の中心部に対向している、
請求項２に記載の半導体装置。
【請求項４】
前記突起部は、さらに、前記設置領域の前記プリント基板の前記角部からそれぞれ前記プリント基板の長手方向内側に離れて対向している、
請求項２に記載の半導体装置。
【請求項５】
前記突起部は、前記設置領域の前記プリント基板の長辺の中心を通って前記長辺に直交する方向の線に沿って少なくとも１箇所に存在する、
請求項１に記載の半導体装置。
【請求項６】
前記プリント基板は、上に凸に反っている、
請求項２乃至４のいずれかに記載の半導体装置。
【請求項７】
前記プリント基板は、下に凸に反っている、
請求項２または５に記載の半導体装置。
【請求項８】
前記突起部は、前記設置領域に対して垂直方向の断面が方形状または台形状である、
請求項１に記載の半導体装置。
【請求項９】
前記突起部は、前記設置領域に対して水平方向の断面が円形状、楕円形状または方形状である、
請求項８に記載の半導体装置。
【請求項１０】
前記突起部の高さは、０．０８ｍｍ以上、０．１５ｍｍ以下である、
請求項９に記載の半導体装置。
【請求項１１】
前記突起部の幅は、０．５ｍｍ以上、１．５ｍｍ以下である、
請求項１０に記載の半導体装置。
【請求項１２】
上に凸に反った、平面視で矩形状のプリント基板を用意する工程と、
前記プリント基板が設置される設置領域の前記プリント基板のそれぞれの角部に対向する位置にそれぞれ形成されている４つの突起部を備えるケースを用意する工程と、
接着剤からなる接合部材を介して前記プリント基板を前記設置領域に配置する工程と、
前記プリント基板のおもて面の前記突起部よりも内側の４つ押圧位置を同時に押圧して、前記接合部材が硬化するまで維持する工程と、
を有する半導体装置の製造方法。
【請求項１３】
下に凸に反った、平面視で矩形状のプリント基板を用意する工程と、
前記プリント基板が設置される設置領域の前記プリント基板のそれぞれの角部よりも内側の対向する位置に形成されている少なくとも１つの突起部を備えるケースを用意する工程と、
接着剤からなる接合部材を介して前記プリント基板を前記設置領域に配置する工程と、
前記プリント基板のおもて面の前記角部をそれぞれ同時に押圧して、前記接合部材が硬化するまで維持する工程と、
を有する半導体装置の製造方法。
【請求項１４】
前記所定位置は、前記設置領域の前記プリント基板の前記角部からそれぞれ前記プリント基板の長手方向内側に所定の距離、離れて対向している、
請求項１３に記載の半導体装置の製造方法。
【請求項１５】
前記所定位置は、前記設置領域の、前記プリント基板の長辺の中心を通って前記長辺に直交する方向の線に沿って少なくとも１箇所に存在する、
請求項１３に記載の半導体装置の製造方法。
【発明の詳細な説明】
【技術分野】
【０００１】
本発明は、半導体装置及び半導体装置の製造方法に関する。
【背景技術】
【０００２】
インテリジェントパワーモジュール（Intelligent Power Module：IPM）と呼ばれる半導体装置は、ＩＧＢＴ（Insulated Gate Bipolar Transistor）、パワーＭＯＳＦＥＴ（Metal Oxide Semiconductor Field Effect Transistor）等の半導体素子と共に、半導体素子の駆動・保護機能を内蔵したドライプＩＣ（Integrated Circuit）を含んでいる（例えば、特許文献１，２参照）。このような半導体装置は、モータ駆動装置、電源装置等の幅広い分野に使用されている。
【０００３】
以下、従来のＩＰＭの半導体装置の一例について、図１１及び図１２を用いて説明する。
【０００４】
図１１は、従来の半導体装置の平面図であり、図１２は、従来の半導体装置におけるプリント基板の取り付けを説明するための断面図である。なお、図１２（Ａ）の切断箇所は図１１の一点鎖線Ｘ−Ｘであり、図１２（Ｂ）の切断箇所は図１１の一点鎖線Ｙ−Ｙである。
【０００５】
半導体装置１００は、ケース１１と、ケース１１内に収納されたプリント基板１３、セラミック回路基板１５、及びプリント基板１３をケース１１に接合するための接着剤１８を有している。
【０００６】
ケース１１は、プリント基板１３及びセラミック回路基板１５を囲む枠部１１ａと、枠部１１ａの内側に設けられた端子台１１ｂと、プリント基板１３が設置される底部１１ｃと、セラミック回路基板１５が設置される開口部１１ｄとを有している。
【０００７】
また、ケース１１は、枠部１１ａに形成された外部接続端子１２ａ１〜１２ｇ１と、枠部１１ａ内で外部接続端子１２ａ１〜１２ｇ１と接続されて端子台１１ｂ上に配置された内部接続端子１２ａ２〜１２ｇ２とを有している。
【０００８】
また、ケース１１の開口部１１ｄの裏面側から金属ベース板１７が接合されており、開口部１１ｄ内の金属ベース板１７上にセラミック回路基板１５がはんだ（図示を省略）を介して接合されている。
【０００９】
プリント基板１３は、樹脂で構成された絶縁板と、絶縁板のおもて面に形成された導電パターン（図示を省略）を有している。また、プリント基板１３のおもて面には、駆動・保護機能のための、ＩＣチップ等の電子部品（図示を省略）が接合されている。プリント基板１３は、その製造過程で、主面が平坦であるだけでなく、おもて面に凸に反る場合（以下、主面が上に凸と記載する）や、裏面が凸に反る場合（以下、主面が下に凸と記載する）がある。
【００１０】
セラミック回路基板１５は、絶縁板１５ａと、絶縁板１５ａの裏面に形成された金属板と、絶縁板１５ａのおもて面に形成された導電パターン１５ｂ１〜１５ｂ６とを有している。また、セラミック回路基板１５の導電パターン１５ｂ３，１５ｂ４上には半導体素子１６ａ，１６ｂが接合されている。
【００１１】
このようなケース１１の底部１１ｃに対して、図１２に示されるように、プリント基板１３の裏面に接着剤１８を塗布しておき、プリント基板１３を、接着剤１８を介してケース１１の底部１１ｃに押圧して接合する。
【００１２】
次に、このようにしてケース１１の底部１１ｃにプリント基板１３を接合した際の接着剤１８の一例について図１３〜図１５を用いて説明する。
【００１３】
図１３は、従来の半導体装置における接着剤を説明するための平面図である。
【００１４】
図１４は、従来の半導体装置における主面が平坦なプリント基板の取り付け後を説明するための断面図であり、図１５は、従来の半導体装置における主面が上に凸に反ったプリント基板の取り付け後を説明するための断面図である。
【００１５】
なお、図１３の破線はプリント基板１３と底部１１ｃとの間における接着剤１８の位置を表している。また、図１４（Ａ）及び図１５（Ａ）の切断箇所は図１３の一点鎖線Ｘ−Ｘであり、図１４（Ｂ）及び図１５（Ｂ）の切断箇所は図１３の一点鎖線Ｙ−Ｙである。
【００１６】
まず、プリント基板１３から底部１１ｃ側に押圧された接着剤１８は底部１１ｃ上で四方に広がる。この場合、図１３、図１４（Ａ）及び図１５（Ａ）に示されるように、プリント基板１３の長手方向の両端部まで接着剤１８が広がらず、プリント基板１３と底部１１ｃとの未接合箇所が発生してしまう。特に、プリント基板１３が上に凸に反っている場合には（図１５（Ａ）を参照）、接着剤１８がプリント基板１３の長手方向の中央部に取り残されるために、プリント基板１３と底部１１ｃとの未接合箇所が発生しやすい。
【００１７】
一方、プリント基板１３の短手方向の両端部は、プリント基板１３から押圧された接着剤１８が底部１１ｃ上で短手方向に広がる。すると、接着剤１８は、図１３、図１４（Ｂ）及び図１５（Ｂ）に示されるように、プリント基板１３と端子台１１ｂとの間隙及びセラミック回路基板１５と開口部１１ｄとの間隙にはみ出してしまう。
【００１８】
次いで、プリント基板１３が下に凸に反っている場合の、プリント基板１３のケース１１の底部１１ｃに対する取り付けについて図１６及び図１７を用いて説明する。
【００１９】
図１６は、従来の半導体装置における主面が下に凸に反ったプリント基板の押圧が弱い時を説明するための断面図であり、図１７は、従来の半導体装置における主面が下に凸に反ったプリント基板の押圧が強い時を説明するための断面図である。なお、図１６（Ａ）及び図１７（Ａ）の切断箇所は図１３の一点鎖線Ｘ−Ｘであり、図１６（Ｂ）及び図１７（Ｂ）の切断箇所は図１３の一点鎖線Ｙ−Ｙである。
【００２０】
下に凸の反りが生じているプリント基板１３の裏面に接着剤１８を塗布して、このようなプリント基板１３を、接着剤１８を介してケース１１の底部１１ｃに押圧する。すると、プリント基板１３に押圧された接着剤１８がケース１１の底部１１ｃ上で広がる。
【００２１】
この際、ケース１１の底部１１ｃに対するプリント基板１３の押圧が十分ではない（弱い）場合には、図１６（Ａ）に示されるように、プリント基板１３の長手方向の両端部まで接着剤１８が広がらず、プリント基板１３と底部１１ｃとの未接合箇所が発生してしまう。
【００２２】
この場合において、図１６（Ｂ）に示されるように、プリント基板１３の短手方向の両端部には接着剤１８が広がり、プリント基板１３とケース１１の底部１１ｃとを接合することができる。
【００２３】
一方、ケース１１の底部１１ｃに対するプリント基板１３の押圧が十分である（強い）場合には、図１７（Ａ）に示されるように、プリント基板１３の長手方向の両端部まで接着剤１８が広がり、プリント基板１３とケース１１の底部１１ｃとを接合することができる。
【００２４】
この場合において、プリント基板１３の短手方向の両端部にも接着剤１８が広がる。すると、接着剤１８は、図１７（Ｂ）に示されるように、プリント基板１３と端子台１１ｂとの間隙及びセラミック回路基板１５と開口部１１ｄとの間隙にはみ出してしまう。
【００２５】
さらに、ケース１１の底部１１ｃに対するプリント基板１３の押圧が強いために、プリント基板１３の裏面の中央部とケース１１の底部１１ｃとの間の接着剤１８の厚さが低下してしまう。
【先行技術文献】
【特許文献】
【００２６】
【特許文献１】特開２００９−２８９８３１号公報
【特許文献２】特開２０００−７７６０２号公報
【発明の概要】
【発明が解決しようとする課題】
【００２７】
上記半導体装置１００において、プリント基板１３の主面が平坦または上に凸に反っている場合にプリント基板１３の長手方向の両端部にプリント基板１３と底部１１ｃとの未接合箇所が発生してしまう（図１４（Ａ）及び図１５（Ａ））。このため、プリント基板１３がケース１１の底部１１ｃから剥離してしまうおそれがある。また、この場合において、プリント基板１３の短手方向では、接着剤１８が、プリント基板１３と端子台１１ｂとの間隙及びセラミック回路基板１５と開口部１１ｄとの間隙にはみ出す。この結果、接着剤１８が、プリント基板１３とセラミック回路基板１５とのそれぞれのおもて面、並びに内部接続端子１２ａ２〜１２ｇ２上に回り込んでしまう（図１４（Ｂ）及び図１５（Ｂ））。回り込んだ接着剤１８は、プリント基板１３上の電子部品、セラミック回路基板１５上の半導体素子１６ａ，１６ｂ並びに内部接続端子１２ａ２〜１２ｇ２を覆ってしまい、電子部品、半導体素子１６ａ，１６ｂ並びに内部接続端子１２ａ２〜１２ｇ２がそれぞれ損傷を受けてしまう。このようにして半導体装置１００の信頼性が低下してしまうという問題点があった。
【００２８】
また、上記半導体装置１００において、プリント基板１３の主面が下に凸に反っている場合にプリント基板１３のケース１１の底部１１ｃに対する押圧が弱いと、プリント基板１３の長手方向の両端部にプリント基板１３と底部１１ｃとの未接合箇所が発生してしまう（図１６（Ａ））。このため、プリント基板１３がケース１１の底部１１ｃから剥離してしまうおそれがある。また、プリント基板１３のケース１１の底部１１ｃに対する押圧が強いと、プリント基板１３の短手方向では、接着剤１８が、プリント基板１３と端子台１１ｂとの間隙及びセラミック回路基板１５と開口部１１ｄとの間隙にはみ出す。この結果、接着剤１８が、プリント基板１３とセラミック回路基板１５とのそれぞれのおもて面、並びに内部接続端子１２ａ２〜１２ｇ２上に回り込んでしまう（図１７（Ｂ））。回り込んだ接着剤１８は、プリント基板１３上の電子部品、セラミック回路基板１５上の半導体素子１６ａ，１６ｂ並びに内部接続端子１２ａ２〜１２ｇ２を覆ってしまい、電子部品、半導体素子１６ａ，１６ｂ並びに内部接続端子１２ａ２〜１２ｇ２がそれぞれ損傷を受けてしまう。さらに、下に凸に反ったプリント基板１３の裏面中央部とケース１１の底部１１ｃとの間の接着剤１８の厚さが低下してしまう（図１７（Ａ），（Ｂ））。このため、プリント基板１３と底部１１ｃとの間の接着剤１８の厚さが不足してしまい、プリント基板１３がケース１１の底部１１ｃから剥離してしまうおそれがある。このようにして半導体装置１００の信頼性が低下してしまうという問題点があった。
【００２９】
本発明は、このような点に鑑みてなされたものであり、信頼性の低下を防止することができる半導体装置及び半導体装置の製造方法を提供することを目的とする。
【課題を解決するための手段】
【００３０】
本発明の一観点によれば、平面視で矩形状のプリント基板と、前記プリント基板が接着剤からなる接合部材を介して設置される設置領域上に、前記プリント基板を裏面側から支持して前記設置領域と前記裏面との間に間隙を維持する少なくとも１つの突起部が形成されたケースと、を有する半導体装置が提供される。
【００３１】
また、本発明の一観点によれば、上に凸に反った、平面視で矩形状のプリント基板を用意する工程と、前記プリント基板が設置される設置領域の前記プリント基板のそれぞれの角部に対向する位置にそれぞれ形成されている４つの突起部を備えるケースを用意する工程と、接着剤からなる接合部材を介して前記プリント基板を前記設置領域に配置する工程と、前記プリント基板のおもて面の前記突起部よりも内側の４つ押圧位置を同時に押圧して、前記接合部材が硬化するまで維持する工程と、を有する半導体装置の製造方法が提供される。
【００３２】
また、本発明の一観点によれば、下に凸に反った、平面視で矩形状のプリント基板を用意する工程と、前記プリント基板が設置される設置領域の前記プリント基板のそれぞれの角部よりも内側の対向する位置に形成されている少なくとも１つの突起部を備えるケースを用意する工程と、接着剤からなる接合部材を介して前記プリント基板を前記設置領域に配置する工程と、前記プリント基板のおもて面の前記角部をそれぞれ同時に押圧して、前記接合部材が硬化するまで維持する工程と、を有する半導体装置の製造方法が提供される。
【発明の効果】
【００３３】
開示の技術によれば、プリント基板の剥離を防止し、電子部品等に対する損傷を防止して、半導体装置の信頼性の低下を防止することができる。
【図面の簡単な説明】
【００３４】
【図１】第１の実施の形態の半導体装置の平面図である。
【図２】第１の実施の形態の半導体装置の断面図である。
【図３】第１の実施の形態のプリント基板の押圧治具の一例を示す図である。
【図４】第１の実施の形態の半導体装置の突起部を説明するための図である。
【図５】第１の実施の形態の半導体装置の突起部の配置位置を説明するための平面図である。
【図６】第２の実施の形態の半導体装置の平面図である。
【図７】第２の実施の形態の半導体装置の断面図である。
【図８】第２の実施の形態の半導体装置の突起部の配置位置を説明するための平面図である。
【図９】第３の実施の形態の半導体装置の突起部の配置位置を説明するための平面図である。
【図１０】第３の実施の形態の半導体装置の断面図である。
【図１１】従来の半導体装置の平面図である。
【図１２】従来の半導体装置におけるプリント基板の取り付けを説明するための断面図である。
【図１３】従来の半導体装置における接着剤を説明するための平面図である。
【図１４】従来の半導体装置における主面が平坦なプリント基板の取り付け後を説明するための断面図である。
【図１５】従来の半導体装置における主面が上に凸に反ったプリント基板の取り付け後を説明するための断面図である。
【図１６】従来の半導体装置における主面が下に凸に反ったプリント基板の押圧が弱い時を説明するための断面図である。
【図１７】従来の半導体装置における主面が下に凸に反ったプリント基板の押圧が強い時を説明するための断面図である。
【発明を実施するための形態】
【００３５】
以下、図面を参照して、実施の形態について説明する。
【００３６】
［第１の実施の形態］
第１の実施の形態の半導体装置について、図１及び図２を用いて説明する。
【００３７】
図１は、第１の実施の形態の半導体装置の平面図であり、図２は、第１の実施の形態の半導体装置の断面図である。なお、図２（Ａ）の切断箇所は図１の一点鎖線Ｘ−Ｘであり、図２（Ｂ）の切断箇所は図１の一点鎖線Ｙ−Ｙである。また、図２（Ｂ）では、セラミック回路基板１５の導電パターン１５ｂ１〜１５ｂ６及び半導体素子１６ａ，１６ｂの図示を省略している。
【００３８】
半導体装置１０は、ケース１１と、ケース１１内に収納されたプリント基板１３、セラミック回路基板１５、及びプリント基板１３をケース１１に接合するための接着剤１８を有している。
【００３９】
ケース１１は、プリント基板１３及びセラミック回路基板１５を囲む枠部１１ａと、枠部１１ａの内側に設けられた端子台１１ｂと、プリント基板１３が設置される底部１１ｃと、セラミック回路基板１５が設置される開口部１１ｄとを有している。
【００４０】
また、ケース１１は、枠部１１ａに形成された外部接続端子１２ａ１〜１２ｇ１と、枠部１１ａ内で外部接続端子１２ａ１〜１２ｇ１と接続されて端子台１１ｂに配置された内部接続端子１２ａ２〜１２ｇ２とを有している。なお、図２（Ｂ）では、枠部１１ａに形成された外部接続端子１２ｄ１と、枠部１１ａ内で外部接続端子１２ｄ１と接続されて端子台１１ｂに配置された内部接続端子１２ｄ２とを表している。
【００４１】
また、ケース１１の開口部１１ｄの裏面側から金属ベース板１７が接合されており、開口部１１ｄ内の金属ベース板１７上にセラミック回路基板１５がはんだ（図示を省略）を介して接合されている。
【００４２】
さらに、底部１１ｃのプリント基板１３の設置領域の所定の形成位置Ｆ１〜Ｆ４（所定位置）には、突起部１１ｅ１〜１１ｅ４がプリント基板１３の各角付近に対応してそれぞれ形成されている。なお、図１では、突起部１１ｅ１〜１１ｅ４の形成位置Ｆ１〜Ｆ４を破線で示している。また、以下において、突起部１１ｅ１〜１１ｅ４について、区別しない場合には、突起部１１ｅと表す。
【００４３】
ケース１１は、熱可塑性樹脂により構成されている。このような樹脂として、ポリフェニレンサルファイド、ポリブチレンテレフタレート樹脂、ポリブチレンサクシネート樹脂、ポリアミド樹脂、または、アクリロニトリルブタジエンスチレン樹脂等がある。
【００４４】
ケース１１の内部を封止部材（図示を省略）により封止させることも可能である。封止部材は、例えば、マレイミド変性エポキシ樹脂、マレイミド変性フェノール樹脂、マレイミド樹脂等の熱硬化性樹脂で構成されている。また、封止部材は、ゲルにより構成されても構わない。
【００４５】
プリント基板１３は、エポキシ樹脂やフェノール樹脂等の樹脂で構成された絶縁板と、絶縁板のおもて面に形成された導電パターン（図示を省略）とを有している。また、プリント基板１３のおもて面には、種々のＩＣチップ等の電子部品（図示を省略）が配置されている。そして、導電パターンにより電気的に接続されている。このようなプリント基板１３によりドライブ回路が構成される。また、第１の実施の形態のプリント基板１３は、後述するように、上に凸に（頂点がプリント基板１３のおもて面側になるように）反っているものとする。プリント基板１３の配線と内部接続端子１２ａ２〜１２ｇ２とが、ボンディングワイヤ（図示を省略）で電気的にそれぞれ接続される。なお、図１及び図２中のプリント基板１３のＰ１〜Ｐ４は、プリント基板１３を底部１１ｃに取り付ける際のプリント基板１３に対する押圧位置を表している。
【００４６】
接着剤１８は、エポキシ樹脂、フェノール樹脂系等を主成分とする熱硬化樹脂系接着剤、及び、シリコーンゴムやクロロプレンゴムなどを主成分とするエラストマー系接着剤等の有機系接着剤からなる。
【００４７】
セラミック回路基板１５は、絶縁板１５ａと、絶縁板１５ａの裏面に形成された金属板（図示を省略）と、絶縁板１５ａのおもて面に形成された導電パターン１５ｂ１〜１５ｂ６とを有している。
【００４８】
絶縁板１５ａは、熱伝導性に優れた酸化アルミニウム、窒化アルミニウム、窒化珪素等の高熱伝導性のセラミックスにより構成されている。
【００４９】
金属板は、熱伝導性に優れたアルミニウム、鉄、銀、銅、または、少なくともこれらの一種を含む合金等の金属により構成されている。
【００５０】
導電パターン１５ｂ１〜１５ｂ６は、導電性に優れた銅あるいは銅合金等の金属により構成されている。また、導電パターン１５ｂ３，１５ｂ４には半導体素子１６ａ，１６ｂがはんだ（図示を省略）を介して接合されている。
【００５１】
このような構成を有するセラミック回路基板１５として、例えば、ＤＣＢ（Direct Copper Bonding）基板、ＡＭＢ（Active Metal Blazed）基板を用いることができる。セラミック回路基板１５は、半導体素子１６ａ，１６ｂで発生した熱を導電パターン１５ｂ１〜１５ｂ６、絶縁板１５ａ及び金属板を介して、金属ベース板１７側に伝導させることができる。
【００５２】
半導体素子１６ａ，１６ｂは、例えば、ＩＧＢＴ、パワーＭＯＳＦＥＴ等のスイッチング素子を含んでいる。このような半導体素子１６ａ，１６ｂは、例えば、裏面に主電極としてドレイン電極（または、コレクタ電極）を、おもて面に、主電極としてゲート電極及びソース電極（または、エミッタ電極）をそれぞれ備えている。
【００５３】
また、半導体素子１６ａ，１６ｂは、必要に応じて、ＳＢＤ（Schottky Barrier Diode）、ＦＷＤ（Free Wheeling Diode）等のダイオードを含んでいる。このような半導体素子１６ａ，１６ｂは、裏面に主電極としてカソード電極を、おもて面に主電極としてアノード電極をそれぞれ備えている。
【００５４】
このような半導体素子１６ａ，１６ｂは、その裏面側が、導電パターン１５ｂ３，１５ｂ４上に、例えば、鉛を含まない銀系、金系、銅系または錫系のはんだ（図示を省略）により接合されている。また、半導体素子１６ａ，１６ｂは、この場合に限らず、複数あってもよく、適宜導電パターン１５ｂ１〜１５ｂ６上に接合される。
【００５５】
なお、セラミック回路基板１５上では、導電パターン１５ｂ１〜１５ｂ６間、所定の導電パターン１５ｂ１〜１５ｂ６と半導体素子１６ａ，１６ｂとの間がボンディングワイヤ（図示を省略）で電気的にそれぞれ接続される。これにより、半導体素子１６ａ，１６ｂを含む所定の回路が構成される。
【００５６】
金属ベース板１７は、熱伝導性に優れた、例えば、アルミニウム、鉄、銀、銅、または、少なくともこれらの一種から構成される合金、アルミニウムと炭化シリコンからなる複合材、マグネシウムと炭化シリコンとからなる複合材により構成されている。また、耐食性を向上させるために、例えば、ニッケル等の材料をめっき処理等により金属ベース板１７の表面に形成してもよい。具体的には、ニッケルの他に、ニッケル−リン合金、ニッケル−ボロン合金等がある。
【００５７】
このような金属ベース板１７上に、例えば、鉛を含まない銀系、金系、銅系または錫系のはんだを介してセラミック回路基板１５の金属板が接合される。
【００５８】
なお、この金属ベース板１７の裏面側に冷却器（図示を省略）をはんだまたは銀ろう等を介して接合させ、または、サーマルペースト等を介して機械的に取りつけることで放熱性を向上させることも可能である。この場合の冷却器は、例えば、熱伝導性に優れたアルミニウム、鉄、銀、銅、または、少なくともこれらの一種から構成される合金等により構成されている。また、冷却器として、フィン、または、複数のフィンから構成されるヒートシンク並びに水冷による冷却装置等を適用することができる。また、金属ベース板１７は、このような冷却器と一体的に構成されてもよい。その場合は、熱伝導性に優れたアルミニウム、鉄、銀、銅、または、少なくともこれらの一種により構成される。そして、耐食性を向上させるために、例えば、ニッケル等の材料をめっき処理等により冷却器と一体化された放熱板の表面に形成してもよい。具体的には、ニッケルの他に、ニッケル−リン合金、ニッケル−ボロン合金等がある。
【００５９】
このような構成を有する半導体装置１０において、ケース１１の底部１１ｃに対するプリント基板１３の設置について図３（並びに図１及び図２）を用いて説明する。
【００６０】
図３は、第１の実施の形態のプリント基板の押圧治具の一例を示す図である。
【００６１】
まず、上に凸に反ったプリント基板１３の裏面（ケース１１の底部１１ｃと対向する側）に接着剤１８を塗布する（例えば、図１２を参照）。または、接着剤１８は、ケース１１の底部１１ｃのプリント基板１３の設置領域上に塗布してもよい。接着剤１８の塗布は、マスクによるスクリーン印刷法やシリンジを用いたディスペンス法等の当該技術において知られている任意の方法を用いることができる。
【００６２】
このようなプリント基板１３を底部１１ｃの設置領域上にセットする。この際、プリント基板１３の裏面の各角部が、底部１１ｃ上に形成された突起部１１ｅ１〜１１ｅ４によりそれぞれ支持される。
【００６３】
また、予め、図３に示す押圧治具５０が設置されたプレス装置（図示を省略）を用意しておく。押圧治具５０は、押圧用ピン５２ａ〜５２ｄがプリント基板１３の押圧位置Ｐ１〜Ｐ４に位置が合わせられてピン固定部５１に形成されている。なお、押圧用ピン５２ａ〜５２ｄは、ピン固定部５１に対する形成位置、個数はこの場合に限らず、プリント基板１３の押圧位置に応じてピン固定部５１の任意の位置に、また、任意の個数を形成することができる。このような押圧治具５０は、プレス装置のプレス部に対して取り付け部５３ａ，５３ｂにより取り付けられている。プレス装置のプレス部は、後述するようにセットされたケース１１の主面に対して垂直方向に動作する。
【００６４】
このようなプレス装置の所定領域に、プリント基板１３が底部１１ｃにセットされたケース１１を設置する。そして、プレス装置はプレス部を下降させて、押圧治具５０の押圧用ピン５２ａ〜５２ｄの押圧部５２ａ１〜５２ｄ１をプリント基板１３の押圧位置Ｐ１〜Ｐ４にそれぞれ同時に当接させる。この際、上に凸に反ったプリント基板１３の押圧位置Ｐ１〜Ｐ４は、突起部１１ｅ１〜１１ｅ４よりも内側である（図１を参照）。
【００６５】
この状態において、プレス装置によりプリント基板１３に対して押圧を行って、接着剤１８が硬化するまでその押圧を維持する。プリント基板１３は、その裏面が底部１１ｃの突起部１１ｅ１〜１１ｅ４により支持されながら、突起部１１ｅ１〜１１ｅ４よりも内側の押圧位置Ｐ１〜Ｐ４が押圧される。このため、プリント基板１３の反りが緩和される。この際のプレス装置による押圧は、プリント基板１３の反りが多少残る程度に押圧する。そして、プリント基板１３が押圧されることにより接着剤１８がケース１１の底部１１ｃ上で押し広げられる。このように押圧されたプリント基板１３は、その裏面側が底部１１ｃの突起部１１ｅ１〜１１ｅ４により支持されるために、プリント基板１３と底部１１ｃとの間に突起部１１ｅ１〜１１ｅ４の高さ程度の隙間が保たれる。
【００６６】
このため、プリント基板１３の長手方向の両端部では、図２（Ａ）に示されるように、接着剤１８の端部がプリント基板１３の当該両端部の側面における、裏面からおもて面までの間に位置する。
【００６７】
また、プリント基板１３の短手方向の両端部では、図２（Ｂ）に示されるように、接着剤１８の端部がプリント基板１３の当該両端部の側面における、裏面からおもて面までの間に位置する。
【００６８】
図２（Ａ），（Ｂ）のように、接着剤１８は、プリント基板１３の端部から多少はみ出している。しかし、プリント基板１３の両端部からはみ出した接着剤１８は、プリント基板１３のおもて面、内部接続端子１２ｄ２上、並びにセラミック回路基板１５のおもて面に回り込んではいない。なお、プリント基板１３の両端部からはみ出した接着剤１８は、内部接続端子１２ａ２，１２ｃ２〜１２ｇ２上にも回り込まない。
【００６９】
また、プリント基板１３と底部１１ｃとの間で押し広げられた接着剤１８は、その中央部が最も厚い、厚さＴ１、外周部が最も薄い、厚さＴ２でそれぞれ保たれている。厚さＴ１は、厚すぎると、接着剤１８の層の内部に亀裂欠陥による剥離が生じやすくなる。そのため、厚さＴ１は、０．３０ｍｍ以下であることが好ましく、さらには、０．２０ｍｍ以下であることがより好ましい。また、厚さＴ２は、薄すぎると、プリント基板１３と底部１１ｃとの剥離が生じやすくなる。そのため、厚さＴ２は、０．０４ｍｍ以上であることが好ましく、さらには、０．０６ｍｍ以上であることがより好ましい。
【００７０】
上記半導体装置１０は、平面視で矩形状のプリント基板１３と、プリント基板１３が接着剤１８を介して設置される設置領域上の形成位置Ｆ１〜Ｆ４に、プリント基板１３を裏面側から支持して設置領域と裏面との間に所定間隔（Ｔ１からＴ２まで）の間隙を維持する突起部１１ｅ１〜１１ｅ４が形成されたケース１１とを有している。
【００７１】
これにより、接着剤１８を介してプリント基板１３をケース１１の底部１１ｃ側に押圧すると、プリント基板１３の裏面は底部１１ｃに形成された突起部１１ｅ１〜１１ｅ４から支持される。このため、プリント基板１３と底部１１ｃとの間隙が突起部１１ｅ１〜１１ｅ４の高さ程度に保たれて、プリント基板１３により押圧される接着剤１８がプリント基板１３の裏面全面に広がる。また、プリント基板１３の裏面からの広がり過ぎがなくなる。この結果、プリント基板１３の長手方向及び短手方向のそれぞれ両端部では、接着剤１８の端部がプリント基板１３のそれぞれの当該両端部側面において、裏面からおもて面までの間に位置する。そのため、プリント基板１３の端部からはみ出した接着剤１８は、プリント基板１３のおもて面、内部接続端子１２ａ２〜１２ｇ２上、並びにセラミック回路基板１５のおもて面に回り込まない。
【００７２】
したがって、プリント基板１３と底部１１ｃとの未接合箇所が無くなり、また、プリント基板１３と底部１１ｃとの間隙の接着剤１８の接着力が保たれる高さが維持されるため、プリント基板１３の底部１１ｃからの剥離が防止される。さらに、プリント基板１３のおもて面、セラミック回路基板１５のおもて面及び内部接続端子１２ａ２〜１２ｇ２上の接着剤１８による損傷が抑制される。これらにより、半導体装置１０の信頼性の低下が抑制される。
【００７３】
ここで、突起部１１ｅについて図４を用いて説明する。
【００７４】
図４は、第１の実施の形態の半導体装置の突起部を説明するための図である。
【００７５】
既述の通り、プリント基板１３を裏面から支持する突起部１１ｅは、接着剤１８の流動を妨げず、空隙を生じないような形状、サイズであることが望まれる。
【００７６】
このような突起部１１ｅとして、図４（Ａ）の（ａ）に示されるように、ケース１１の底部１１ｃの主面に対して垂直な断面の形状が方形状であることが望まれる。この高さは、高すぎると底部１１ｃに配置した際のプリント基板１３が浮きやすく、低すぎると接合に必要な接着剤１８の厚さを確保することができなくなる。このような要求を満たす高さは、０．０８ｍｍ以上、０．１５ｍｍ以下であることが好ましく、例えば、０．１ｍｍである。
【００７７】
また、ケース１１の底部１１ｃの主面に対して平行な断面が、図４（Ａ）の（ｂ），（ｃ），（ｄ）に示されるように、円形状、楕円形状、または方形状であることが望まれる。例えば、円形状の場合には、その直径は、小さすぎるとプリント基板１３を支持する際に傾きやすく、大きすぎると、接着剤１８による接合領域が低下してしまう。このような要求を満たす直径は、０．５ｍｍ以上、１．５ｍｍ以下であることが好ましく、例えば、１ｍｍである。楕円形状及び方形状の場合も、円形状と同等の大きさ（幅）であることが好ましい。
【００７８】
また、突起部１１ｅとして、図４（Ｂ）の（ａ）に示されるような、底部１１ｃの主面に対して垂直な断面の形状が台形状であっても構わない。この高さも、図４（Ａ）の場合と同様に、０．０８ｍｍ以上、０．１５ｍｍ以下であることが好ましく、例えば、０．１ｍｍである。
【００７９】
また、ケース１１の底部１１ｃの主面に対して平行な断面が、図４（Ｂ）の（ｂ），（ｃ），（ｄ）に示されるように、円形状、楕円形状、または方形状である。例えば、図４（Ｂ）の（ｂ）の円形状（円錐台状）の場合には、その下底の直径は、図４（Ａ）の場合と同様に、０．５ｍｍ以上、１．５ｍｍ以下であることが好ましく、例えば、１ｍｍである。その上底の直径も同様に、０．２ｍｍ以上、１．０ｍｍ以下であることが好ましく、例えば、０．７ｍｍである。楕円形状及び方形状の場合も、円形状と同等の大きさ（上底及び下底の幅）であることが好ましい。
【００８０】
次に、ケース１１の底部１１ｃに形成される突起部の配置位置例について図５を用いて説明する。
【００８１】
図５は、第１の実施の形態の半導体装置の突起部の配置位置を説明するための平面図である。なお、図５（Ａ），（Ｂ）では、プリント基板１３の設置領域を破線でそれぞれ表している。
【００８２】
図５（Ａ）に示す半導体装置１０ａは、半導体装置１０の底部１１ｃのプリント基板１３の設置領域１３ａの中心部に突起部１１ｅ５をさらに形成したものである。
【００８３】
このようなケース１１の底部１１ｃの設置領域１３ａに、図１〜図３で説明したように、上に凸に反ったプリント基板１３の押圧位置Ｐ１〜Ｐ４を、プレス装置に取り付けた押圧治具５０により押圧する。プリント基板１３は、その裏面が底部１１ｃの設置領域１３ａの突起部１１ｅ１〜１１ｅ４により支持されながら、突起部１１ｅ１〜１１ｅ４よりも内側の押圧位置Ｐ１〜Ｐ４が押圧されて、反りが緩和される。例えば、押圧が強くなっても、プリント基板１３は、その裏面の中心部が設置領域１３ａの突起部１１ｅ５から支持された状態で接着剤１８により底部１１ｃに固着される。
【００８４】
また、図５（Ｂ）に示す半導体装置１０ｂは、半導体装置１０の底部１１ｃの設置領域１３ａの角部からそれぞれ長手方向内側に所定距離、離れた箇所に突起部１１ｅ６〜１１ｅ９がそれぞれさらに形成されたものである。すなわち、突起部１１ｅ１，１１ｅ３の間に突起部１１ｅ６，１１ｅ７が、突起部１１ｅ２，１１ｅ４の間に突起部１１ｅ８，１１ｅ９がそれぞれさらに形成されたものである。
【００８５】
この場合についても、ケース１１の底部１１ｃの設置領域１３ａに、図１〜図３で説明したように、上に凸に反ったプリント基板１３の押圧位置Ｐ１〜Ｐ４を、プレス装置に取り付けた押圧治具５０により押圧する。プリント基板１３は、既述の通り、反りが緩和される。例えば、押圧が強くなっても、プリント基板１３は、その裏面の両端部が突起部１１ｅ６，１１ｅ７及び突起部１１ｅ８，１１ｅ９からそれぞれ支持された状態で接着剤１８により底部１１ｃに固着される。
【００８６】
突起部１１ｅ１〜１１ｅ４の他にさらに突起部を形成する場合、さらに形成する突起部の数は、４つ以下であることが好ましい。多すぎると、接着剤１８による接合領域が低下してしまう。
【００８７】
また、図５の半導体装置１０ａ，１０ｂの場合でも、半導体装置１０と同様に、接着剤１８は、プリント基板１３の裏面全面に広がる。また、接着剤１８は、プリント基板１３の裏面からの広がり過ぎがなくなる。プリント基板１３の長手方向及び短手方向のそれぞれの両端部では、接着剤１８の端部がプリント基板１３の当該両端部の側面において、裏面からおもて面までの間に位置する。そのため、プリント基板１３の端部からはみ出した接着剤１８は、プリント基板１３のおもて面、内部接続端子１２ａ２〜１２ｇ２上、並びにセラミック回路基板１５のおもて面に回り込まない。
【００８８】
したがって、半導体装置１０ａ，１０ｂは、プリント基板１３と底部１１ｃとの未接合箇所が無くなり、また、プリント基板１３と底部１１ｃとの間隙の接着剤１８の接着力が保たれる高さが維持されるため、プリント基板１３の底部１１ｃからの剥離が防止される。さらに、プリント基板１３のおもて面、セラミック回路基板１５のおもて面及び内部接続端子１２ａ２〜１２ｇ２上の接着剤１８による損傷が抑制される。これらにより、半導体装置１０ａ，１０ｂの信頼性の低下が抑制される。
【００８９】
また、図５の半導体装置１０ａ，１０ｂの場合、突起部１１ｅ５、または突起部１１ｅ６〜１１ｅ９がさらに形成されている。そのため、仮に押圧が強くなっても、プリント基板１３と底部１１ｃとの間隙が維持される。また、プリント基板１３の裏面からの広がり過ぎがなくなる。そのため、半導体装置１０ａ，１０ｂの更なる信頼性の向上ができる。
【００９０】
［第２の実施の形態］
第２の実施の形態では、ケース１１の底部１１ｃの設置領域に下に凸に（頂点がプリント基板の裏面側になるように）反ったプリント基板を配置する場合について図６及び図７を用いて説明する。
【００９１】
図６は、第２の実施の形態の半導体装置の平面図であり、図７は、第２の実施の形態の半導体装置の断面図である。なお、図７（Ａ）の切断箇所は図６の一点鎖線Ｘ−Ｘであり、図７（Ｂ）の切断箇所は図６の一点鎖線Ｙ−Ｙである。
【００９２】
半導体装置１０ｃは、図１〜図３で説明した半導体装置１０と同様に、ケース１１と、ケース１１内に収納されたプリント基板２３及びセラミック回路基板１５とを有している。但し、プリント基板２３は、下に凸の反りを有している。図６中のプリント基板２３のＰ５〜Ｐ８は、プリント基板２３を底部１１ｃに取り付ける際のプリント基板２３に対する押圧位置を表している。
【００９３】
また、底部１１ｃのプリント基板２３の配置領域に突起部２１ｅ１〜２１ｅ４がプリント基板２３の角部からそれぞれ所定距離、離れて形成されている。なお、図６では、突起部２１ｅ１〜２１ｅ４の形成位置Ｆ５〜Ｆ８を破線で示している。また、以下において、突起部２１ｅ１〜２１ｅ４について、区別しない場合には、突起部２１ｅと表す。
【００９４】
次に、このような構成を有する半導体装置１０ｃにおいて、ケース１１の底部１１ｃの設置領域に対するプリント基板２３の設置について（図６及び図７を用いて）説明する。
【００９５】
まず、第１の実施の形態と同様に、下に凸に反ったプリント基板２３の裏面（ケース１１の底部１１ｃと対向する側）に接着剤１８を塗布する（例えば、図１２を参照）。または、接着剤１８は、ケース１１の底部１１ｃのプリント基板２３の設置領域上に塗布してもよい。
【００９６】
このようなプリント基板２３を底部１１ｃの設置領域上にセットする。この際、プリント基板２３上の裏面の各角部近傍が、底部１１ｃ上に形成された突起部２１ｅ１〜２１ｅ４によりそれぞれ支持される。
【００９７】
押圧治具５０（図３を参照）が設置されたプレス装置の所定領域に、プリント基板２３が底部１１ｃの設置領域にセットされたケース１１を設置する。なお、押圧治具５０の押圧用ピン５２ａ〜５２ｄは、プリント基板２３の押圧位置Ｐ５〜Ｐ８に位置を合わせておく。このようなプレス装置はプレス部を降下させて、押圧治具５０の押圧用ピン５２ａ〜５２ｄの押圧部５２ａ１〜５２ｄ１をプリント基板２３の押圧位置Ｐ５〜Ｐ８にそれぞれ当接させる。この際、下に凸に反ったプリント基板２３の押圧位置Ｐ５〜Ｐ８は、突起部２１ｅ１〜２１ｅ４の外側である（図６を参照）。
【００９８】
この状態において、プレス装置によりプリント基板２３に対して押圧を行って、接着剤１８が硬化するまでその押圧を維持する。プリント基板２３は、その裏面が底部１１ｃの突起部２１ｅ１〜２１ｅ４により支持されながら、突起部２１ｅ１〜２１ｅ４よりも外側の押圧位置Ｐ５〜Ｐ８が押圧される。このため、プリント基板２３の反りが緩和される。この際のプレス装置による押圧は、プリント基板２３の反りが多少残る程度に押圧する。そして、プリント基板２３が押圧されることにより接着剤１８がケース１１の底部１１ｃ上で押し広げられる。このように押圧されたプリント基板２３は、その裏面側が底部１１ｃの突起部２１ｅ１〜２１ｅ４により支持されるために、プリント基板２３と底部１１ｃとの間に突起部２１ｅ１〜２１ｅ４の高さ程度の隙間が保たれる。
【００９９】
このため、プリント基板２３の長手方向の両端部では、図７（Ａ）に示されるように、接着剤１８の端部がプリント基板２３の当該両端部の側面における、裏面からおもて面までの間に位置する。
【０１００】
また、プリント基板２３の短手方向の両端部では、図７（Ｂ）に示されるように、接着剤１８の端部がプリント基板１３の当該両端部の側面における、裏面からおもて面までの間に位置する。
【０１０１】
図７（Ａ），（Ｂ）のように、接着剤１８は、プリント基板２３の端部から多少はみ出している。しかし、プリント基板２３の両端部からはみ出した接着剤１８は、プリント基板２３のおもて面、内部接続端子１２ｄ２上、並びにセラミック回路基板１５のおもて面に回り込んではいない。なお、プリント基板２３の両端部からはみ出した接着剤１８は、内部接続端子１２ａ２，１２ｃ２〜１２ｇ２上にも回り込まない。
【０１０２】
このようにしてプリント基板２３と底部１１ｃとの間で押し広げられた接着剤１８は、その中央部が最も薄い、厚さＴ３、外周部が最も厚い、厚さＴ４でそれぞれ保たれている。厚さＴ３は、薄すぎると、プリント基板１３と底部１１ｃとの剥離が生じやすくなる。そのため、厚さＴ３は、０．０４ｍｍ以上であることが好ましく、さらには、０．０６ｍｍ以上であることがより好ましい。また、厚さＴ４は、厚すぎると、接着剤層の内部に亀裂欠陥による剥離が生じやすくなる。そのため、厚さＴ４は、０．３０ｍｍ以下であることが好ましく、さらには、０．２０ｍｍ以下であることがより好ましい。
【０１０３】
上記半導体装置１０ｃは、平面視で矩形状のプリント基板２３と、プリント基板２３が接着剤１８を介して設置される設置領域上の形成位置Ｆ５〜Ｆ８に、プリント基板２３を裏面側から支持して設置領域と裏面との間に所定間隔（Ｔ３からＴ４まで）の間隙を維持する突起部２１ｅ１〜２１ｅ４が形成されたケース１１とを有している。
【０１０４】
これにより、裏面に接着剤１８が塗布されたプリント基板２３をケース１１の底部１１ｃ側に押圧すると、プリント基板２３は底部１１ｃに形成された突起部２１ｅ１〜２１ｅ４から裏面が支持される。このため、プリント基板２３と底部１１ｃとの間隙が突起部２１ｅ１〜２１ｅ４の高さ程度に保たれて、プリント基板２３により押圧される接着剤１８がプリント基板１３の裏面全面に広がる。また、プリント基板１３の裏面からの広がり過ぎがなくなる。この結果、プリント基板２３の長手方向及び短手方向のそれぞれ両端部では、接着剤１８の端部がプリント基板２３のそれぞれの当該両端部の側面において、裏面からおもて面までの間に位置する。そのため、プリント基板２３端部からはみ出した接着剤１８は、プリント基板２３のおもて面、内部接続端子１２ａ２〜１２ｇ２上、並びにセラミック回路基板１５のおもて面に回り込まない。
【０１０５】
したがって、プリント基板２３と底部１１ｃとの未接合箇所が無くなり、また、プリント基板２３と底部１１ｃとの間隙の接着剤１８の接着力が保たれる高さが維持されるため、プリント基板２３の底部１１ｃからの剥離が防止される。さらに、プリント基板２３のおもて面、セラミック回路基板１５のおもて面及び内部接続端子１２ａ２〜１２ｇ２上の接着剤１８による損傷が抑制される。これらにより、半導体装置１０ｃの信頼性の低下が抑制される。
【０１０６】
次に、ケース１１の底部１１ｃに形成される突起部の配置位置例について図８を用いて説明する。
【０１０７】
図８は、第２の実施の形態の半導体装置の突起部の配置位置を説明するための平面図である。なお、図８（Ａ），（Ｂ）では、プリント基板２３の設置領域を破線でそれぞれ表している。
【０１０８】
図８に示す半導体装置１０ｄでは、突起部２１ｅの形成位置が、設置領域２３ａのプリント基板２３の長辺の中心を通って当該長辺に直交する方向の線に沿って少なくとも１箇所に存在する。
【０１０９】
具体的には、まず、図８（Ａ）に示す半導体装置１０ｄは、ケース１１の底部１１ｃの中心部のみに突起部２１ｅ５を形成したものである。
【０１１０】
このようなケース１１の底部１１ｃの設置領域２３ａに、上記で説明したように、下に凸に反ったプリント基板２３の押圧位置Ｐ５〜Ｐ８をプレス装置に取り付けた押圧治具５０により押圧する。プリント基板２３は、底部１１ｃの突起部２１ｅ５により裏面の中心部が支持されながら、突起部２１ｅ５から外側の押圧位置Ｐ５〜Ｐ８が押圧されて、反りが緩和される。すると、プリント基板２３は、その裏面の中央部が突起部２１ｅ５から支持された状態で接着剤１８により底部１１ｃに固着される。
【０１１１】
また、図８（Ｂ）に示す半導体装置１０ｅは、ケース１１の底部１１ｃのプリント基板２３の設置領域２３ａの長辺の中心を通って当該長辺に直交する線上の２箇所に突起部２１ｅ６，２１ｅ７を形成したものである。
【０１１２】
このようなケース１１の底部１１ｃの設置領域２３ａに、図８（Ａ）の場合と同様に、下に凸に反ったプリント基板２３をプレス装置に取り付けた押圧治具５０により押圧する。プリント基板２３は、底部１１ｃの突起部２１ｅ６，２１ｅ７により裏面の中央部が支持されながら、突起部２１ｅ６，２１ｅ７よりも外側の押圧位置Ｐ５〜Ｐ８が押圧されて、反りが緩和される。すると、プリント基板２３は、その裏面の中央部が突起部２１ｅ６，２１ｅ７から支持された状態で接着剤１８により底部１１ｃに固着される。
【０１１３】
これにより、図８の半導体装置１０ｄ，１０ｅの場合でも、半導体装置１０ｃと同様に、接着剤１８は、プリント基板２３の裏面全面に広がる。また、接着剤１８は、プリント基板２３の裏面からの広がり過ぎがなくなる。プリント基板２３の長手方向及び短手方向のそれぞれの両端部では、接着剤１８の端部がプリント基板２３の当該両端部の側面において、裏面からおもて面までの間に位置する。そのため、プリント基板２３端部からはみ出した接着剤１８は、プリント基板２３のおもて面、内部接続端子１２ａ２〜１２ｇ２上、並びにセラミック回路基板１５のおもて面に回り込まない。
【０１１４】
したがって、半導体装置１０ｄ，１０ｅは、プリント基板２３と底部１１ｃとの未接合箇所が無くなり、また、プリント基板２３と底部１１ｃとの間隙の接着剤１８の接着力が保たれる高さが維持されるため、プリント基板２３の底部１１ｃからの剥離が防止される。さらに、プリント基板２３のおもて面、セラミック回路基板１５のおもて面及び内部接続端子１２ａ２〜１２ｇ２上の接着剤１８による損傷が抑制される。これらにより、半導体装置１０ｄ，１０ｅの信頼性の低下が抑制される。
【０１１５】
［第３の実施の形態］
第３の実施の形態では、ケース１１の底部１１ｃの設置領域に下に凸に反った、または、上に凸に反ったプリント基板を配置する場合について図９を用いて説明する。
【０１１６】
図９は、第３の実施の形態の半導体装置の突起部の配置位置を説明するための平面図である。なお、図９では、突起部３１ｅ１〜３１ｅ８の形成位置Ｆ９〜Ｆ１６を破線で示している。
【０１１７】
半導体装置１０ｆは、図６及び図７で説明した半導体装置１０ｃと同様に、ケース１１と、ケース１１内に収納されたプリント基板３３及びセラミック回路基板１５とを有している。図９中のプリント基板３３のＰ９〜Ｐ１２は、プリント基板３３を底部１１ｃに取り付ける際のプリント基板３３に対する押圧位置を表している。また、底部１１ｃのプリント基板３３の設置領域の角部に突起部３１ｅ１〜３１ｅ４がそれぞれ形成されている。さらに、突起部３１ｅ５〜３１ｅ８が突起部３１ｅ１〜３１ｅ４からプリント基板３３の長手方向内側に所定距離、離れてそれぞれ形成されている。
【０１１８】
次に、このような構成を有する半導体装置１０ｆにおいて、ケース１１の底部１１ｃの設置領域に対するプリント基板３３の設置について図１０を用いて説明する。
【０１１９】
図１０は、第３の実施の形態の半導体装置の断面図である。なお、図１０（Ａ）の切断箇所はプリント基板３３が上に凸に反っている場合の図９の一点鎖線Ｘ−Ｘであり、図１０（Ｂ）の切断箇所はプリント基板３３が下に凸に反っている場合の図９の一点鎖線Ｘ−Ｘである。
【０１２０】
まず、ケース１１の底部１１ｃの設置領域に設置するプリント基板３３が上に凸に反っている場合について説明する。
【０１２１】
第１，第２の実施の形態と同様に、上に凸に反ったプリント基板３３の裏面（ケース１１の底部１１ｃと対向する側）に接着剤１８を塗布する（例えば、図１２を参照）。または、接着剤１８は、ケース１１の底部１１ｃのプリント基板３３の設置領域上に塗布してもよい。
【０１２２】
このようなプリント基板３３を底部１１ｃの設置領域上にセットする。すると、この際、プリント基板３３の各角部が、底部１１ｃ上に形成された突起部３１ｅ１〜３１ｅ８のうち突起部３１ｅ１〜３１ｅ４によりそれぞれ支持される。
【０１２３】
第１，第２の実施の形態と同様にして、押圧治具５０（図３を参照）が設置されたプレス装置の所定領域に、プリント基板３３が底部１１ｃにセットされたケース１１を設置する。なお、押圧治具５０の押圧用ピン５２ａ〜５２ｄは、プリント基板３３の押圧位置Ｐ９〜Ｐ１２に位置を合わせておく。このようなプレス装置はプレス部を降下させて、押圧治具５０の押圧用ピン５２ａ〜５２ｄの押圧部５２ａ１〜５２ｄ１をプリント基板３３の押圧位置Ｐ９〜Ｐ１２にそれぞれ当接させる。この際、上に凸に反ったプリント基板３３の押圧位置Ｐ９〜Ｐ１２は、突起部３１ｅ１〜３１ｅ４の内側である（図９を参照）。
【０１２４】
この状態において、プレス装置によりプリント基板３３に対して押圧を行って、接着剤１８が硬化するまでその押圧を維持する。プリント基板３３は、底部１１ｃの突起部３１ｅ１〜３１ｅ４により裏面が支持されながら、突起部３１ｅ１〜３１ｅ４から内側の押圧位置Ｐ９〜Ｐ１２が押圧される。このため、プリント基板３３の反りが緩和される。この際のプレス装置による押圧は、プリント基板３３の反りが多少残る程度に押圧する。そして、プリント基板３３が押圧されることにより接着剤１８がケース１１の底部１１ｃ上で押し広げられる。このように押圧されたプリント基板３３は、その裏面側が底部１１ｃの突起部３１ｅ１〜３１ｅ４により支持されるために、プリント基板３３と底部１１ｃとの間に突起部３１ｅ１〜３１ｅ４の高さ程度の隙間が保たれる。
【０１２５】
このため、プリント基板３３の長手方向の両端部では、図１０（Ａ）に示されるように、接着剤１８の端部がプリント基板３３の当該両端部の側面における、裏面からおもて面までの間に位置する。
【０１２６】
また、プリント基板３３の短手方向の両端部でも、接着剤１８は、図２（Ｂ）と同様に、接着剤１８の端部がプリント基板１３の当該両端部の側面における、裏面からおもて面までの間に位置する。
【０１２７】
この場合、接着剤１８は、プリント基板３３の端部から多少はみ出しながら、プリント基板３３のおもて面、内部接続端子１２ａ２〜１２ｇ２上、並びにセラミック回路基板１５のおもて面に回り込まない。
【０１２８】
次に、ケース１１の底部１１ｃの設置領域に設置するプリント基板３３が下に凸に反っている場合について説明する。
【０１２９】
第１，第２の実施の形態と同様に、下に凸に反ったプリント基板３３の裏面（ケース１１の底部１１ｃと対向する側）に接着剤１８を塗布する（例えば、図１２を参照）。または、接着剤１８は、ケース１１の底部１１ｃのプリント基板３３の設置領域上に塗布してもよい。
【０１３０】
このようなプリント基板３３を底部１１ｃの設置領域上にセットする。すると、この際、プリント基板３３の角部よりも内側の四点（図９を参照）が、底部１１ｃ上に形成された突起部３１ｅ１〜３１ｅ８のうち突起部３１ｅ５〜３１ｅ８によりそれぞれ支持される。
【０１３１】
第１，第２の実施の形態と同様にして、押圧治具５０（図３を参照）が設置されたプレス装置の所定領域に、プリント基板３３が底部１１ｃにセットされたケース１１を設置する。なお、押圧治具５０の押圧用ピン５２ａ〜５２ｄは、プリント基板３３の押圧位置Ｐ９〜Ｐ１２に位置を合わせておく。このようなプレス装置はプレス部を降下させて、押圧治具５０の押圧用ピン５２ａ〜５２ｄの押圧部５２ａ１〜５２ｄ１をプリント基板３３の押圧位置Ｐ９〜Ｐ１２にそれぞれ当接させる。この際、下に凸に反ったプリント基板３３の押圧位置Ｐ９〜Ｐ１２は、突起部３１ｅ５〜３１ｅ８の外側である（図９を参照）。
【０１３２】
この状態において、プレス装置によりプリント基板３３に対して押圧を行って、接着剤１８が硬化するまでその押圧を維持する。プリント基板３３は、底部１１ｃの突起部３１ｅ５〜３１ｅ８により裏面が支持されながら、突起部３１ｅ５〜３１ｅ８から外側の押圧位置Ｐ９〜Ｐ１２が押圧される。このため、プリント基板３３の反りが緩和される。そして、プリント基板３３が押圧されることにより接着剤１８がケース１１の底部１１ｃ上で押し広げられる。このように押圧されたプリント基板３３は、その裏面側が底部１１ｃの突起部３１ｅ５〜３１ｅ８により支持されるために、プリント基板３３と底部１１ｃとの間に突起部３１ｅ５〜３１ｅ８の高さ程度の隙間が保たれる。
【０１３３】
このため、プリント基板３３の長手方向の両端部では、図１０（Ｂ）に示されるように、接着剤１８の端部がプリント基板３３の当該両端部の側面における、裏面からおもて面までの間に位置する。
【０１３４】
また、プリント基板３３の短手方向の両端部でも、接着剤１８は、図７（Ｂ）と同様に、側面における、裏面からおもて面までの間に位置する。
【０１３５】
この場合でも、接着剤１８は、プリント基板３３の端部から多少はみ出しながら、プリント基板３３のおもて面、内部接続端子１２ａ２〜１２ｇ２上、並びにセラミック回路基板１５のおもて面に回り込まない。
【０１３６】
上記半導体装置１０ｆは、平面視で矩形状のプリント基板３３と、プリント基板３３が接着剤１８を介して設置される設置領域上の形成位置Ｆ９〜Ｆ１６に、プリント基板３３を裏面側から支持して設置領域と裏面との間に所定間隔の間隙を維持する突起部３１ｅ１〜３１ｅ８が形成されたケース１１とを有している。
【０１３７】
これにより、プリント基板３３が上に凸に反っている場合、裏面に接着剤１８が塗布されたプリント基板３３をケース１１の底部１１ｃ側に押圧すると、プリント基板３３は底部１１ｃに形成された突起部３１ｅ１〜３１ｅ８のうち外側の突起部３１ｅ１〜３１ｅ４から裏面が支持される。また、プリント基板３３が下に凸に反っている場合、裏面に接着剤１８が塗布されたプリント基板３３をケース１１の底部１１ｃ側に押圧すると、プリント基板３３は底部１１ｃに形成された突起部３１ｅ１〜３１ｅ８のうち内側の突起部３１ｅ５〜３１ｅ８から裏面が支持される。
【０１３８】
このため、プリント基板３３と底部１１ｃとの間隙が維持されて、プリント基板３３により押圧される接着剤１８がプリント基板１３の裏面全面に広がる。また、接着剤１８がプリント基板１３の裏面からの広がり過ぎがなくなる。この結果、プリント基板３３の長手方向及び短手方向のそれぞれの両端部では、接着剤１８の端部がプリント基板１３のそれぞれの当該両端部側面において、裏面からおもて面までの間に位置する。そのため、プリント基板３３の短手方向の両端部からはみ出した接着剤１８は、プリント基板３３のおもて面、内部接続端子１２ａ２〜１２ｇ２上、並びにセラミック回路基板１５のおもて面に回り込まない。
【０１３９】
したがって、半導体装置１０ｆは、プリント基板３３と底部１１ｃとの未接合箇所が無くなり、また、プリント基板３３と底部１１ｃとの間隙の接着剤１８の接着力が保たれる高さが維持されるため、プリント基板３３の底部１１ｃからの剥離が防止される。さらに、プリント基板３３のおもて面、セラミック回路基板１５のおもて面及び内部接続端子１２ａ２〜１２ｇ２上の接着剤１８による損傷が抑制される。これらにより、半導体装置１０ｆの信頼性の低下が抑制される。
【０１４０】
なお、第１の実施の形態では、プリント基板１３が上に凸に反っている場合に、図５（Ｂ）が適用されることを説明した。これに加えて、図５（Ｂ）は、図１０（Ｂ）の場合と同様にして、プリント基板１３が下に凸に反っている場合にも適用することができる。
【符号の説明】
【０１４１】
１０，１０ａ，１０ｂ，１０ｃ，１０ｄ，１０ｅ，１０ｆ  半導体装置
１１  ケース
１１ａ  枠部
１１ｂ  端子台
１１ｃ  底部
１１ｄ  開口部
１１ｅ，１１ｅ１，１１ｅ２，１１ｅ３，１１ｅ４，１１ｅ５，１１ｅ６，１１ｅ７，１１ｅ８，１１ｅ９，２１ｅ，２１ｅ１，２１ｅ２，２１ｅ３，２１ｅ４，２１ｅ５，２１ｅ６，２１ｅ７，３１ｅ１，３１ｅ２，３１ｅ３，３１ｅ４，３１ｅ５，３１ｅ６，３１ｅ７，３１ｅ８  突起部
１２ａ１，１２ｂ１，１２ｃ１，１２ｄ１，１２ｅ１，１２ｆ１，１２ｇ１  外部接続端子
１２ａ２，１２ｂ２，１２ｃ２，１２ｄ２，１２ｅ２，１２ｆ２，１２ｇ２  内部接続端子
１３，２３，３３  プリント基板
１３ａ，２３ａ  設置領域
１５  セラミック回路基板
１５ａ  絶縁板
１５ｂ１，１５ｂ２、１５ｂ３，１５ｂ４，１５ｂ５，１５ｂ６  導電パターン
１６ａ，１６ｂ  半導体素子
１７  金属ベース板
１８  接着剤
５０  押圧治具
５１  ピン固定部
５２ａ，５２ｂ，５２ｃ，５２ｄ  押圧用ピン
５２ａ１，５２ｂ１，５２ｃ１，５２ｄ１  押圧部
５３ａ，５３ｂ  取り付け部
【図１】
2018182174.tif 000003
【図２】
2018182174.tif 000004
【図３】
2018182174.tif 000005
【図４】
2018182174.tif 000006
【図５】
2018182174.tif 000007
【図６】
2018182174.tif 000008
【図７】
2018182174.tif 000009
【図８】
2018182174.tif 000010
【図９】
2018182174.tif 000011
【図１０】
2018182174.tif 000012
【図１１】
2018182174.tif 000013
【図１２】
2018182174.tif 000014
【図１３】
2018182174.tif 000015
【図１４】
2018182174.tif 000016
【図１５】
2018182174.tif 000017
【図１６】
2018182174.tif 000018
【図１７】
2018182174.tif 000019